(57)【要約】  【課題】  ハードディスクドライブ内の空気流を流線型に改善すること。  【解決手段】  ディスクの各々に隣接して位置付けられた静止後体を有すハードディスクドライブ内に空気流を流線型にする装置である。この装置は、空気流を漸次拡げ、圧力を増加させる一方で空気流速を漸次減少させる。本設計によりドライブ内で空気が突然拡がるために装置内で勢いが失われることが軽減される。更に、ディスクパックに向う空気流の動きが、ディスク間の空気流にバイパス空気流が合流する以前に、圧力エネルギーから運動エネルギーに効果的にエネルギーが変換できるように収縮されることがある。この装置は、半径方向にディスクパックから離れた櫛状構造を備えている。この構造が空力的機能を実現し、トラックの位置決めミスを減らし、全体的な空力的消散を低め、ろ過機能を果たしている。【選択図】  図１
2005071581.tif 000002
【特許請求の範囲】
【請求項１】
ハウジングと、
前記ハウジングに装着され、前記ハウジングに対応して回転可能なディスクであり、前記ディスクが回転軸および前記軸に対応する半径方向を画成し、且つ前記ディスクから空気が流出する下流側と、前記ディスクに空気が流入する上流側とを有すディスクと、
ハウジングに装着され、前記ディスクに対応して駆動可能であり、前記ディスクからデータを読取るためとデータを書込むためのヘッドを備えているアクチュエータと、
前記ディスクの回転により生じた空気流に向けるため前記ハウジングに形成したバイパスチャネルと、
前記ディスクの下流側に隣接するバイパスチャネル内に位置し、半径方向に前記ディスクから分岐し、前記バイパスチャネル内のディスク後流のために前記ディスクから空気流抵抗を減らす拡散器とからなるハードディスクドライブ。
【請求項２】
前記拡散器が、前記ハウジングを経て空気流をろ過するための空気フィルタからなる請求項１記載のハードディスクドライブ。
【請求項３】
前記拡散器の空気フィルタが、電荷を組み入れ前記ハウジングを経て空気流をろ過することからなる請求項２記載のハードディスクドライブ。
【請求項４】
前記拡散器が、約０．５ｍｍ毎に半径方向に前記ディスクから離間していることからなる請求項１記載のハードディスクドライブ。
【請求項５】
前記バイパスチャネルが前記ハウジングの外周部と前記アクチュエータとの間に位置しており、前記バイパスチャネルが完全に前記アクチュエータの外周を囲んでいることからなる請求項１記載のハードディスクドライブ。
【請求項６】
前記拡散器が、軸方向に向けた一対の側壁と前記側壁間に延びた少なくとも１枚の空気翼とを有す櫛状の構造をしていることからなる請求項１記載のハードディスクドライブ。
【請求項７】
前記拡散器が、半径方向に通常平面配向をなし且つ前記ディスクの平面配向と軸方向に配列している空気翼を備えており、前記空気翼はまた最大軸厚が前記ディスクの軸厚未満かあるいは前記ディスクの軸厚に等しいことからなる請求項１記載のハードディスクドライブ。
【請求項８】
前記空気翼が、前記ディスクのすぐ隣に位置し前記ディスクの平面配向に略直角をなしている軸方向に延びた横平面を有す前縁を備えたことからなる請求項７記載のハードディスクドライブ。
【請求項９】
前記空気翼の前縁が、ディスクの円形外側端に対して相補的に形を保っている弓形輪郭線を有していることからなる請求項８記載のハードディスクドライブ。
【請求項１０】
前記空気翼が、前記前縁に対向して位置する後縁部を有しており、且つ前記後縁部が前記ディスクから離れて空気流の方向に軸厚内で漸減し前記ディスクから前記後縁部に前記空気流が移行するにつれて、テーパーにより漸次前記空気流が減速されるように前記後縁部が漸次拡大する通路を画成することからなる請求項８記載のハードディスクドライブ。
【請求項１１】
前記空気翼の前記後縁部が、前記ディスクの下流側で空気流の方向に略直角である線形後縁を有すことからなる請求項１０記載のハードディスクドライブ。
【請求項１２】
更に、前記ディスクの上流側に隣接する前記バイパスチャネル内に位置し、且つ前記半径方向に前記ディスクから枝分かれしている収縮器であり、前記収縮器が前記収縮器から前記ディスクに遅速で流れるバイパス空気流を再加速し、前記ディスク周辺の空気流に遅速パイパス空気流を合流させる前に、圧力エネルギーから運動エネルギーへ前記空気流のエネルギー変換を効果的にすることからなる請求項１記載のハードディスクドライブ。
【請求項１３】
前記バイパスチャネルが、前記ディスクの前記下流側から前記ディスクの上流側に延びるフルバイパスであることからなる請求項１記載のハードディスクドライブ。
【請求項１４】
ハウジングと、
前記ハウジングに装着され且つ前記ハウジングに対して回転可能である複数のディスクを有し、回転軸と前記軸に対する半径方向とを画成し、且つ、空気が前記ディスクから流出する下流側と、空気が前記ディスクへ流入する上流側とを備えているディスクパックと、
ハウジングに装着され且つ前記ディスクパックに対して回転可能であり、前記ディスクからデータ読取りまたデータ書き込みするための複数のヘッドを備えているアクチュエータと、
前記ディスクパックの前記下流側から前記ディスクパックの前記上流側へ前記ディスクの回転により生じる前記空気流に向けるために、前記ハウジング内に形成されたバイパスチャネルと、
前記ディスクパックの前記下流側に隣接し前記バイパスチャネル内に位置し、且つ前記半径方向に前記ディスクから下流に枝分かれする前記バイパスチャネル内のディスク後流による前記ディスクからの空気流抵抗を減少させるような拡散器と、
前記ディスクパックの前記上流側に隣接し前記バイパスチャネル内に位置し、且つ前記半径方向に前記ディスクから上流に枝分かれする収縮器であり、前記収縮器から前記ディスクへの遅速バイパス空気流を再加速し、前記ディスク周辺の空気流と前期遅速パイパス空気流とを合流させる前に、圧力エネルギーから運動エネルギーへ前記空気流のエネルギー変換を効果的にするような収縮器とからなるハードディスクドライブ。
【請求項１５】
前記拡散器および前記収縮器の各々が、前記バイパスチャネルを経て前記空気流をろ過するための空気フィルタからなる請求項１４記載のハードディスクドライブ。
【請求項１６】
前記拡散器および前記収縮器が、電荷を組み入れ、前記バイパスチャネルを経て前記空気流をろ過することからなる請求項１４記載のハードディスクドライブ。
【請求項１７】
前記拡散器および前記収縮器の各々が、約０．５ｍｍ毎に半径方向に前記ディスクの外側端から離間していることからなる請求項１４記載のハードディスクドライブ。
【請求項１８】
前記バイパスチャネルが前記ハウジングの外周部と前記アクチュエータとの間に位置しており、前記バイパスチャネルが完全に前記アクチュエータの外周を囲んでいることからなる請求項１４記載のハードディスクドライブ。
【請求項１９】
前記拡散器および前記収縮器の両方が、前記半径方向に互いに各々軸方向に離れている複数の翼を有し、前記の各翼が、前記半径方向に通常平面配向を有しており且つ前記ディスクの１枚と軸方向に配列しており、前記翼は最大軸厚が前記ディスクの前記１枚の軸厚未満かあるいは等しいことからなる請求項１４記載のハードディスクドライブ。
【請求項２０】
前記拡散器の前記各翼が、前記ディスクの前記１枚のすぐ隣に位置し、且つ前記ディスクの前記１枚の平面配向に略直角をなしている軸方向に延びた横平面を有す前縁を備え、また前記収縮器の前記各翼が、前記ディスクの前記１枚のすぐ隣に位置する後縁と、前記後縁に対向して位置する丸みのある面を有す前縁とを備えていることからなる請求項１９記載のハードディスクドライブ。
【請求項２１】
前記拡散器の前記翼の前記前縁と前記収縮器の前記翼の前記後縁とが、前記ディスクの円形外側端に対して相補的に形を保っている弓形輪郭線を備えていることからなる請求項２０記載のハードディスクドライブ。
【請求項２２】
前記拡散器の前記翼が前記前縁に対向して位置する後縁部を有しており、且つ前記後縁部が前記ディスクから離れて空気流の方向に軸厚内で漸減し前記ディスクから前記後縁部に前記空気流が移行するにつれて、前記テーパーにより漸次空気流が減速されるように前記後縁部が漸次拡大する通路を画成することからなる請求項２０記載のハードディスクドライブ。
【請求項２３】
前記拡散器の前記翼上の前記テーパーが、前記前縁から前記後縁部にかけて滑らかで境界線がなく、且つ前記収縮器の前記翼が、各々の前縁から各々の後縁に延びた類似の滑らかで境界線のないテーパーを備えていることからなる請求項２２記載のハードディスクドライブ。
【請求項２４】
前記拡散器の前記翼の前記後縁部と、前記収縮器の前記翼の前記前縁とが、各々の前記ディスクパックの前記下流および上流側で前記空気流の方向に略直角な、線形エッジを備え、且つ前記収縮器の前記翼の前記前縁が丸みのあることからなる請求項２２記載のハードディスクドライブ。
【発明の詳細な説明】
【技術分野】
【０００１】
本発明は、一般にハードディスクドライブのための改良型内部空力的設計に関するもので、特にハードディスクドライブ内で空気流を拡散および収縮させてアーム、サスペンション、スライダ、更に回転ディスクが流れにより生じた振動を減少させるための改良型システム、方法及び装置に関する。
【背景技術】
【０００２】
データアクセスおよび記憶システムは、一般的に磁気あるいは光学記録媒体上にデータを記憶する1個以上の記憶装置からなる。例えば、磁気記憶装置は直接アクセス装置（ＤＡＳＤ）あるいは、ハードディスクドライブ（ＨＤＤ）として知られており、各々のディスクに関する局所演算を管理するために1枚以上のディスクおよび1個の制御装置が含まれる。通常、このハードディスク自体は、アルミ合金あるいはガラスとセラミックの混合から出来ており、磁気被膜で覆われている。一般的には、数千毎分回転数（rpm）でディスクドライブモータにより回転する共通軸に1枚から6枚のディスクが積層している。
【０００３】
典型的ＨＤＤは、アクチュエータアッセンブリにも用いられる。回転ディスクの所望位置に情報を書込、あるいは所望位置からデータを読取をするために、アクチュエータが磁気読取り／書込みヘッドをその所望位置まで移動させる。殆どのＨＤＤには、スライダに磁気読取り／書込みヘッドが取り付けられている。一般的に、スライダは、ディスクドライブシステムのヘッドを機械的に支持する。また、ヘッドと残りの部分との間のあらゆる電気的結合を機械的に支持することに役立っている。ディスクに面したスライダ面は空力的に形成されており、回転ディスク面から均一距離を維持するために空気ベアリングを生じるように形成されている。このような形成は、ヘッドがディスクに不本意に接触することを予防している。
【０００４】
一般的に、スライダは、ディスクドライブの動作中にディスク近傍にスライダが略一定高で浮上できるような、スライダの空気軸受け面（ＡＢＳ）上に突出からなる空力的形状をなしている。スライダは各ディスク側に対応しており、ディスク一面に渡り浮上して移動する。各スライダがヘッドジンバルアッセンブリ（ＨＧＡ）を形成するサスペンションに取り付けられている。そして、このＨＧＡが、ヘッド浮上装置の全体を支持する半硬質のアクチュエータアームに装着されている。数個の半硬質のアームが組み合わさり、リニア軸受け、または回転ピボット軸受けシステムを有す単一の可動装置を形成してもよい。
【０００５】
ボイスコイルモータ（ＶＣＭ）と一般に言われる磁気／コイル構造を用いて、ヘッドおよびアームアッセンブリが直線的に駆動するか、あるいは回転駆動する。ＶＣＭのステータがベースに取り付けられているか、あるいは、取り付けられたスピンドルに組み込まれる。ベースにはそのスピンドル、アクチュエータＶＣＭが形成されており、また、内部ろ過装置がカバーとシールアッセンブリとで封入されているので、いかなる塵も混入したり、ディスク上を浮上するスライダの信頼性に不利な影響を与えないことが確実となる。モータに電流が流れると、印加された電流に略比例するトルクがＶＣＭに発生する。したがって、アーム加速度は電流の大きさに略比例する。読取り／書込みヘッドが所望のトラックに近づくにつれて、リバースポラリティ信号がアクチュエータに印加され、その信号がブレーキとして働くため、読取り／書込みヘッドが所望するトラック上に理想的に直接止まって置かれる。
【０００６】
先行技術において、ハードディスクドライブ内の空気流を増強させる多くの解決法が提案されてきた。ディスクパックに近傍して置かれたバイパスチャンネルなどがある。例えば、特許文献１公報に記載の通り、空気ガイド２０、３０のみがディスク後方に空気流の中心部を導くようなハードディスクドライブを開示している。特許文献２公報に記載の通り、ドア２０を有するハウジング３１は、ディスクからフィルタに空気の流れを導く磁気ディスク装置（図３−５）を開示している。特許文献３公報に記載の通り、空気流の中央部分にだけ影響を及ぼす分流スロープ２２０、２２２（図９）を開示している。
【０００７】
【特許文献１】特開平５−３４７０８９号公報
【特許文献２】ＪＰ６２−８５９９７号公報
【特許文献３】米国特許第５,９０７,４５３号公報
【発明の開示】
【発明が解決しようとする課題】
【０００８】
現在、このようなバイパスチャンネルの既知の実施例では、空気流の断面が、突然５０％も拡がる。ディスクパックのディスク厚の合計は、軸方向バイパスチャネル高さの有効部分である。その結果、この設計ではバイパスチャンネル内のディスク後流による好ましくないディスクベース空気流抵抗が生じる。更に、アクチュエータ周囲にバイパス空気流が遅速で再加速するために好ましくない後流が生じる。したがって、ハードディスクドライブ内の空気流を流線型に改善し、解決することが望まれよう。
【課題を解決するための手段】
【０００９】
ハードディスクドライブ内部にある空気流を流線型にするシステム、方法、装置の一実施例を開示する。この空気流はバイパスチャネル内に導かれる。各ディスクが静止後体を備えている。この後体は、各ディスクから離れた流れに対して、流路を広げられるように構成されている。空力的に流路が広がっており、拡散器と呼ばれる。一実施例において、拡散器は徐々に通路が拡大しており、そのため空気流の速度が、突然というよりむしろ徐々に減少でき、また圧力を上昇できる。この設計によりドライブ内の空気あるいはガスが突然拡大するために装置内で勢いが失われることが軽減される。
【００１０】
本発明によりまた、流れの入り口領域での運動エネルギーから圧力の回復するプロセスが円滑になる。この領域では、スピンドルモータが必要とする動力量が減少する。下流の拡散が、ディスク面間から伝わるにつれて、アクチュエータおよび非空力的なディスクドライブコンポーネント付近の空気断面の広がり度合いと、結果としておこる乱流とが減る一方で、ディスクからスピンした空気流を受ける。ディスクパックへのバイパス流の戻り時に、空気流がディスクパックに再入し、断面が漸減しているチャンネルで、ディスク間の空気流にパイパス空気流が合流する前に、圧力エネルギーから運動エネルギーへ効果的にエネルギー変換できるように加速される。
【００１１】
本発明は、約０．５ｍｍ毎に、あるいは力学的許容値のために最低距離が問われずに必要とする距離毎に、半径方向に回転ディスクパックからややずれている櫛状の構造（拡散器あるいは収縮器）を用いる。実施例において、この構造は空力的機能だけを満たしている。しかしまた、この構造はろ過機能する構成であってもよく、その場合は、ろ過物質から形成された構造であってもよい。たとえば、電荷（エレクトレット）を組み込むことで、ろ過物質の効力が高められることがある。直線もしくは円形テーパーをした構成であってもよい。しかし、滑らかで境界のないテーパーが望ましい。例えば、ディスクパック内に空気流が再加速される必要があるために、収縮器の前縁は好ましくは丸みを帯びている。
【発明を実施するための最良の形態】
【００１２】
本発明の前述の、また別の目的と利点とが、次に述べる本発明の好ましい実施例の詳細な記載の観点において、添付請求項および別に付した図面と共に考慮した場合に当業者らに明らかとなろう。
【実施例】
【００１３】
＜実施例１＞
【００１４】
図１を参照すると、コンピュータシステム用磁気ハードディスクファイルあるいはドライブ１１１を含む情報記憶システムの一実施例の概略図が示されている。ドライブ１１１は、少なくとも１個の媒体あるいは磁気ディスク１１５を有すディスクパックを含む外部ハウジングあるいはベース１１３を有す。このディスクあるいは複数枚のディスク１１５は、中心駆動ハブ１１７を有すスピンドルモータアッセンブリにより回転する（矢印２０５参照）。アクチュエータ１２１は、ピボットアッセンブリ１２３のまわりを枢軸可動するようにベース１１３に装着した櫛型の複数の平行するアクチュエータアーム１２５（１個示した）を備える。ディスク１１５に対してアーム１２５のコームを選択的に駆動させる制御装置１１９もベース１１３に装着されている。
【００１５】
実施例に示したように、各アーム１２５は少なくとも１個のカンチレバーで支えられたロードビームおよびサスペンション１２７から突出している。磁気読取り／書込み変換機あるいはヘッドが、スライダ１２９に装着され、また各サスペンション１２７にフレキシブルに取り付けられた撓みに固定されている。この読取り／書込みヘッドが、磁気的にデータをディスク１１５から読取り、またディスクに書込する。ヘッドジンバルアッセンブリと呼ばれている統合水準は、サスペンション１２７に装着されたヘッドとスライダ１２９とである。通常、このスライダ１２９は、サスペンション１２７の端部に結合している。一般的にヘッドは、ピコサイズ（約1250×1000×300ミクロン）でありまた、セラミック、あるいは合金からなる。またヘッドは「フェムト」サイズ（約850×700×230ミクロン）であってもよい。また、ヘッドはディスク１１５面に対してサスペンション１２７により（２から１０グラムの範囲で）プレインストールされている。
【００１６】
サスペンション１２７はスプリングのような特性を有す。この特性によりバイアスがかかる。すなわちディスク１１５に対するスライダ１２９の空気ベアリング面が、ディスクから正確な距離でスライダ１２９を浮上させる。従来のボイスコイルモータ磁気アッセンブリ１３４内で自由に動くボイスコイル１３３は（トップポールは図示せず）、ヘッドジンバルアッセンブリに対向するアーム１２５に取り付けられている。コントローラ１１９で、（矢印１３５で示す）アクチュエータ１２１が動き、ヘッドジンバルアッセンブリがディスク１１５上のトラックを横切る放射状の弧に沿って、各ヘッドの目標のトラック上に止まるまで動く。従来の方法でヘッドジンバルアッセンブリが動作し、また常に各アッセンブリが互いに同調して同時に動く。但し、お互いに独立してアームが動くことができる複数の個別のアクチュエータ（図示せず）を、ドライブ１１１が用いない場合に限る。
【００１７】
次に、図１および図４を参照すると、ディスクパックおよびディスク１１５（１枚示す）が、回転２０５の軸２０１および軸２０１に対する半径方向２０７、２０９を設定する。このディスクパックおよびディスク１１５は、ディスク１１５から空気が流れ出る下流側２１３と、ディスク１１５に向って空気が流れ入る上流側２１５とを有している。ドライブ１１１は、バイパスチャンネル２１９も有しており、これは、ディスクパックの下流側２１３またはディスク１１５からか、あるいは、ディスクパックの上流側２１５あるいはディスク１１５に、ディスク１１５の回転によって生じた空気流を向けるため、ハウジング１１３内で形成されている。実施例に示した通り、バイパスチャネル２１９は、ハウジング１１３の外側外周部２１７（図１）およびアクチュエータ１２１との間にあり、このバイパスチャネル２１９が完全にアクチュエータ１２１の周りに線を描くように位置している。全てのバイパスチャネル（図示した）を満たすに足る十分なスペースがないＨＤＤ設計のうちのあるものにおいては、バイパスチャネル２１９が妨害となることもある（図示せず）。これは部分バイパスとして知られる。部分バイパスの場合、拡散と収縮とがあることが利益となる。さらに、バイパスの流れがかなりの角度変化（空気路の彎曲）を切り抜け易くするために、１枚以上の旋回翼をこれらの領域に設置してもよい。旋回翼の使用は、旋回翼を設計することにおいて周知である。
【００１８】
図１から図４に示したとおり、ドライブ１１１の一実施例には、本発明にしたがって構成された拡散器２２１も備えられる。実施例に示されたように、拡散器２２１はバイパスチャネル２１９に位置しており、ディスクパックあるいはディスク１１５の下流側２１３に隣接して位置付けられる。拡散器２２１は半径方向２０７にディスク１１５から下流に枝別れし、拡散器２２１はバイパスチャネル２１９内のディスク後流のために生じるディスク１１５からの空気流抵抗を減らす。このタイプの空気抵抗は通常、ベースドラッグと呼ばれる。
【００１９】
＜実施例２＞
【００２０】
あるいは、拡散器２２１と共に可動しながら、ドライブ１１１の別の選択的実施例には、収縮装置すなわち収縮器２２３が含まれる（図５および６）でもよい。この収縮器２２３は、バイパスチャネル２１９内に位置してもいるが、ディスクパックすなわち各ディスク１１５の上流側２１５に隣接している。拡散器２２１のように、収縮器２２３はディスク１１５から上流に、しかし半径方向２０９にではあるが、枝分かれしている。拡散器２２１および収縮器２２３の各々が、ディスク１１５の外側端２１３、２１５の各々から、半径方向２０７、２０９にそれぞれ、例えば約０．５ｍｍ以下毎に離間していてもよい。収縮器２２３には、再加速するため遅速バイパス空気流２２５（図１、５、および６）が収縮器２２３からディスク１１５にもたらされ、ディスク１１５周辺の空気流２０５（図１）に遅速パイパス空気流２２５が合流する前に、圧力エネルギーから運動エネルギーへ、空気流のエネルギー変換が効果的となる。
【００２１】
＜実施例３＞
【００２２】
本発明の別の実施例において、拡散器２２１と収縮器２２３の両方共、あるいはいずれか一方は、それぞれ更に、バイパスチャネル２１９とハウジング１１３の両方共、あるいはいずれか一方を経て空気流をろ過するための空気フィルタを備える。いずれか一方あるいは両方の機構２２１、２２３が、このろ過機能を働かせるために画成されてもよく、この場合にこれら機構はろ過物質から形成されることがある。ある特別な実施例では、拡散器２２１および収縮器２２３とは、電荷を組み入れて、バイパスチャネル２１９と、ハウジング１１３との両方、あるいは一方を経て空気流をろ過する。例えば電荷（エレクトレット）の組み入れにより、ろ過物質の効果が高められる。
【００２３】
実施例に示されたように、拡散器２２１と収縮器２２３とが各々複数の翼２３１、２３３を装備している。翼２３１、２３３は同一であってもよいが、図に示したように、異なって画成されていてもよい。翼２３１、２３３は軸方向に各々互いに離れている。各翼２３１、２３３は、一般に半径方向に平面配向を有している。例えば、図４に示したように、翼２３１（明確にするため１枚だけ示した）は各ディスク１１５の１枚と軸方向に配列している。ディスク１１５の各々一枚の軸厚２３７（図４）と好ましくは等しい軸厚の翼２３１，２３３は最大軸厚２３５（図２）もまた備えている。拡散器には、流れの分流を避ける形である一方、例えば面に流れが密着するように促進する必要がある。拡散器があまりに突然拡張する際には、境界層はがれが起こることは先行技術において周知である。さらに、数多くの種々の空気調和方法により、拡散壁に流れの密着を促進させる目的で示された基本的な拡散器の形状が可能である旨が理解されよう。これら方法には、例えば、分水嶺、小型垂直翼、境界層を傾けたような装置のような面の粗い部材からなる攪拌器がある。その他流れを調和させる方法には、音響で流れを放射させることがある。流れの調和技術を記述したものには空力的設計技術に既知のものである。
【００２４】
拡散器２２１の各翼２３１は、一般には、ディスク１１５に平らに面した軸方向に延びた円筒横面２４３を備えた前縁２４１を有している。横面２４３はディスク１１５の各々１枚のすぐ隣に位置しており（図１および４参照）、ディスク１１５の各１枚の平面配向と略直角をなしている。収縮器２２３の各翼２３３は、ディスク１１５の各１枚のすぐ隣に位置する後縁２５１、および後縁２５１に対向して位置する丸みのある面２５５を有する前縁２５３を備えている。
【００２５】
拡散器の翼２３１の前縁２４１、および収縮器２２３の翼２３３の後縁２５１は、ディスク１１５の円形外側端２１３、２１５に対して相補的に形を保っている弓形輪郭線を有している。拡散器２２１の翼２３１は、前縁２４１に対向して位置する後縁部２４５も有している。後縁部２４５はディスク１１５から離れて空気流の方向で軸厚内で漸減し、漸増する通路２４９を画成する。ディスク１１５から後縁部２４５に空気流が移行し、テーパーに沿って漸次空気流を減速させる。
【００２６】
図２乃至４に示したように、拡散器２２１の翼上のテーパーは前縁２４１から後縁部２４５にかけて滑らかで且つ境界線がない。替わりにテーパーは線形テーパーで画成されてもよい。収縮器２２３の翼２３３は、各々の前縁２５３から各々の後縁２５１に延びた類似の滑らかで境界線のないテーパーを備えていてもよい。加えて、拡散器２２１の翼２３１の後縁部２４５と、収縮器２２３の翼２３３の前縁２５３とが、各々のディスクパックあるいはディスク１１５の下流および上流側２１３、２１５で空気流の方向に略直角な、線形境界線を有す。さらに、収縮器２２３の翼２３３の前縁２５３は、好ましくは、図５および６に示すように丸みのある面２５５である。
【００２７】
本発明には、ハードディスクドライブ内の空気流を流線型にする能力を含むいくつかの利点がある。空気流が静止後部を有すバイパスチャネルに平滑流入する。収縮器は除除に経路を広げ空気の流速を暫時減少でき、圧力を上昇できる。この設計により、ドライブ内で空気やガスが突然拡がり、装置の運動量の無駄が発生することが減り、流入域内の運動エネルギーからの圧力が円滑に回復する。その結果、スピンドルモータの必要とするパワー量が減らされる。替わりとしてディスクパックに向う空気流の動きが、ディスク間の空気流にバイパス空気流が合流する以前に、圧力エネルギーから運動エネルギーに効果的に運動が変換できるように収縮される。この構造は空気流をろ過するためにも用いられてもよい。本発明は、拡散器あるいは収縮器が組み込まれない設計を達成するであろうと理解されよう。通常のものは、別のドライブコンポーネントとの抵触がありうると推論されよう。
【００２８】
本発明の形態のいくつかのみを示し、あるいは開示してきたが、それに限定されずに、本発明の範囲から逸脱せずに種々の変更が可能となろうことは、同業者らに明らかとなるべきであろう。
【００２９】
本発明の特徴と利点、加えて明瞭となるその他の事項の方法が達成され、また更に詳細に理解可能となるために、本明細書の一部である添付図面に示した実施例を参照することにより、上述に簡単に要約した発明の更に具体的な記載を持ってしてもよい。しかしながら、各図面が本発明の実施例のみを記載していることに注意されたし。それゆえ、本発明が別の同様な効果のある実施例を認めるものとして、その範囲を限定するものではないとして考慮されよう。
【図面の簡単な説明】
【００３０】
【図１】本発明に従って構成されたハードディスクドライブの略平面図。
【図２】図１のハードディスクドライブ用拡散器の正面等角図であり、本発明に従って構成されている。
【図３】図２の拡散器の後面等角図であり、本発明に従って構成されている。
【図４】図２の拡散器の隣接するディスク1枚を示す正面等角図であり、本発明に従って構成されている。
【図５】図１のハードディスクドライブ用収縮器の正面等角図であり、本発明に従って構成されている。
【図６】図５の収縮器の後面等角図であり、本発明に従って構成されている。
【符号の説明】
【００３１】
１１１…ドライブ、
１１３…ベース（ハウジング）、
１１５…ディスク１１５、
１１７…中心駆動ハブ、
１１９…制御装置（コントローラ）、
１２１…アクチュエータ、
１２３…ピボットアッセンブリ、
１２５…アクチュエータアーム、
１２９…スライダ、
１３３…ボイスコイル、
１３４…従来のボイスコイルモータ磁気アッセンブリ、
１３５…矢印１３５、
２１０…軸、
２０５…回転、
２０７，２０９…半径方向、
２１３…下流側円形外側端、
２１５…上流側円形外側端、
２１９…バイパスチャンネルスチャネル、
２２１…拡散器、
２２３…収縮器、
２３１、２３３…翼、
２３５…最大軸厚、
２３７…軸厚、
２４１…前縁、
２４３…円筒横軸面、
２４５…後縁部、
２４９…通路、
２５１…後縁、
２５３…前縁、
２５５…丸みのある面。
【図１】
2005071581.tif 000003
【図２】
2005071581.tif 000004
【図３】
2005071581.tif 000005
【図４】
2005071581.tif 000006
【図５】
2005071581.tif 000007
【図６】
2005071581.tif 000008